【手続補正書】
【提出日】平成29年6月19日(2017.6.19)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、前記方法は、
現在ブロックの高度残差予測（ＡＲＰ）重み付け係数のための値を決定することと、
前記ＡＲＰ重み付け係数の前記値が０に等しくないとき、
前記現在ブロックのための照明補償シンタックス要素の復号をスキップすることと、
ＡＲＰおよび前記ＡＲＰ重み付け係数の前記値を使用することに少なくとも部分的に基づいて前記現在ブロックを復号することと、または、
前記ＡＲＰ重み付け係数の前記値が０に等しいとき、
前記現在ブロックのための前記照明補償シンタックス要素を復号することと、
前記照明補償シンタックス要素の前記値に少なくとも部分的に基づいて前記現在ブロックを復号することと
を備える方法。
【請求項２】
ビデオデータを符号化する方法であって、前記方法は、
現在ブロックの高度残差予測（ＡＲＰ）重み付け係数のための値を決定することと、
前記ＡＲＰ重み付け係数の前記値が０に等しくないとき、
前記現在ブロックのための照明補償シンタックス要素の符号化をスキップすることと、
ＡＲＰおよび前記ＡＲＰ重み付け係数の前記値を使用することに少なくとも部分的に基づいて前記現在ブロックを符号化することと、または、
前記ＡＲＰ重み付け係数の前記値が０に等しいとき、
前記現在ブロックのための前記照明補償シンタックス要素を符号化することと、
前記照明補償シンタックス要素の前記値に少なくとも部分的に基づいて前記現在ブロックを符号化することと
を備える方法。
【請求項３】
前記照明補償シンタックス要素がｉｃ＿ｆｌａｇシンタックス要素を備える、請求項１または２に記載の方法。
【請求項４】
前記照明補償シンタックス要素を復号または符号化することは、前記現在ブロックのために照明補償が有効化されるかどうかを決定することと、前記現在ブロックのために照明補償が有効化されるときのみ、前記照明補償シンタックス要素を復号または符号化することとをさらに備える、請求項１または２に記載の方法。
【請求項５】
前記現在ブロックを含むスライスのために照明補償が有効化されるかどうかを示すスライスレベル照明補償シンタックス要素を復号または符号化することをさらに備え、ここにおいて、前記現在ブロックのための前記照明補償シンタックス要素を復号または符号化することは、前記スライスレベル照明補償シンタックス要素が、前記スライスのために照明補償が有効化されることを示すときのみ、前記現在ブロックのための前記照明補償シンタックス要素を復号または符号化することを備える、請求項１または２に記載の方法。
【請求項６】
前記照明補償シンタックス要素を復号または符号化することは、前記ＡＲＰ重み付け係数が０に等しい値を有し、（ａ）または（ｂ）のうちの少なくとも１つが真である場合のみ、前記照明補償シンタックス要素を復号または符号化することを備え、ここで、（ａ）は、前記現在ブロックが、マージモードを用いてコーディングされること、および（ｉ）または（ｉｉ）のうちの少なくとも１つであり、ここで、（ｉ）は、前記現在ブロックを含むスライスのためのスライスヘッダ中のシンタックス要素が、前記現在スライスのために照明補償モードが有効化されることを示す値を有することであり、ここで、（ｉｉ）は、前記現在ブロックのためのマージインデックスが０でない値を有することであり、ここで、（ｂ）は、前記現在ブロックが高度動きベクトル予測（ＡＭＶＰ）モードを用いてコーディングされること、および前記現在ブロックのための少なくとも１つの参照インデックスがビュー間参照ピクチャに対応することである、請求項１または２に記載の方法。
【請求項７】
前記スライスのための前記スライスヘッダ中の前記シンタックス要素がｓｌｉｃｅ＿ｉｃ＿ｄｉｓａｂｌｅ＿ｍｅｒｇｅ＿ｚｅｒｏ＿ｉｄｘ＿ｆｌａｇを備える、請求項６に記載の方法。
【請求項８】
前記照明補償シンタックス要素を復号または符号化することは、前記現在ブロックを含む現在ピクチャがイントラランダムアクセスピクチャ（ＩＲＡＰ）であるとき、前記照明補償シンタックス要素を復号または符号化することを備える、請求項１または２に記載の方法。
【請求項９】
照明補償がマルチレイヤビデオデータの少なくとも１つのレイヤのために使用されるかどうかを示す少なくとも１つのシンタックス要素を復号または符号化することをさらに備える、請求項１または２に記載の方法。
【請求項１０】
前記照明補償シンタックス要素の前記値に少なくとも部分的に基づいて前記現在ブロックを復号または符号化することは、前記照明補償シンタックス要素の前記値が、前記現在ブロックが照明補償を使用してコーディングされるべきであることを示すとき、照明補償を使用して前記現在ブロックを復号または符号化することを備える、請求項１または２に記載の方法。
【請求項１１】
前記ＡＲＰ重み付け係数の前記値が０に等しいとき、前記照明補償シンタックス要素の前記値に少なくとも部分的に基づいて前記現在ブロックを復号または符号化することは、前記照明補償シンタックス要素の前記値が、前記現在ブロックが、照明補償を使用して、ＡＲＰを使用せずにコーディングされるべきでないことを示すとき、照明補償を使用せずに前記現在ブロックを復号または符号化することを備える、請求項１または２に記載の方法。
【請求項１２】
前記ＡＲＰ重み付け係数の前記値を決定することより前に、
前記現在ブロックを含むスライスのためにＡＲＰが有効化されるかどうかを決定することと、
前記現在ブロックがインターコーディングされるかどうかを決定することとをさらに備え、
ここにおいて、前記ＡＲＰ重み付け係数の前記値を決定することは、ＡＲＰが有効化されるとき、および前記現在ブロックがインターコーディングされるとき、前記ＡＲＰ重み付け係数の前記値を決定することを備える、
請求項１または２に記載の方法。
【請求項１３】
ビデオデータを復号するためのデバイスであって、前記デバイスは、
現在ブロックの高度残差予測（ＡＲＰ）重み付け係数のための値を決定するための手段と、
前記ＡＲＰ重み付け係数の前記値が０に等しいとき、前記現在ブロックのための照明補償シンタックス要素を復号し、
前記ＡＲＰ重み付け係数の前記値が０に等しくないとき、前記現在ブロックのための照明補償シンタックス要素の復号をスキップする
ように構成される手段と、
前記現在ブロックを復号するための手段であって、
前記ＡＲＰ重み付け係数の前記値が０に等しくないとき、ＡＲＰおよび前記ＡＲＰ重み付け係数を使用することに少なくとも部分的に基づいて、および、
前記ＡＲＰ重み付け係数が０に等しいとき、前記照明補償シンタックス要素の前記値に少なくとも部分的に基づいて、
前記現在ブロックを復号するように構成される手段と
を備えるデバイス。
【請求項１４】
ビデオデータを符号化するためのデバイスであって、前記デバイスは、
現在ブロックの高度残差予測（ＡＲＰ）重み付け係数のための値を決定するための手段と、
前記ＡＲＰ重み付け係数の前記値が０に等しいとき、前記現在ブロックのための照明補償シンタックス要素を符号化し、
前記ＡＲＰ重み付け係数の前記値が０に等しくないとき、前記現在ブロックのための照明補償シンタックス要素の符号化をスキップする
ように構成される手段と、
前記現在ブロックを符号化するための手段であって、
前記ＡＲＰ重み付け係数の前記値が０に等しくないとき、ＡＲＰおよび前記ＡＲＰ重み付け係数を使用することに少なくとも部分的に基づいて、および、
前記ＡＲＰ重み付け係数が０に等しいとき、前記照明補償シンタックス要素の前記値に少なくとも部分的に基づいて、
前記現在ブロックを符号化するように構成される手段と
を備えるデバイス。
【請求項１５】
命令を記憶したコンピュータ可読記憶媒体であって、前記命令は、実行されたとき、ビデオデータを復号または符号化するためのデバイスのプロセッサに請求項１から１２のうちのいずれかの方法を実行させる、コンピュータ可読記憶媒体。
【手続補正２】
【補正対象書類名】明細書
【補正対象項目名】０２０２
【補正方法】変更
【補正の内容】
【０２０２】
[0206]様々な例について説明してきた。これらおよび他の例は以下の特許請求の範囲内に入る。
以下に本願の出願当初の特許請求の範囲に記載された発明を付記する。
［Ｃ１］
ビデオデータをコーディングする方法であって、前記方法は、
現在ブロックの高度残差予測（ＡＲＰ）重み付け係数のための値を決定することと、
前記ＡＲＰ重み付け係数の前記値が０に等しくないとき、
前記現在ブロックのための照明補償シンタックス要素のコーディングをスキップすることと、
前記現在ブロックをコーディングすることと
を備える方法。
［Ｃ２］
前記ＡＲＰ重み付け係数の前記値が０に等しいとき、前記現在ブロックのための前記照明補償シンタックス要素をコーディングすることと、前記照明補償シンタックス要素の値に少なくとも部分的に基づいて前記現在ブロックをコーディングすることとをさらに備える、Ｃ１に記載の方法。
［Ｃ３］
前記照明補償シンタックス要素がｉｃ＿ｆｌａｇシンタックス要素を備える、Ｃ２に記載の方法。
［Ｃ４］
前記照明補償シンタックス要素をコーディングすることは、前記現在ブロックのために照明補償が有効化されるかどうかを決定することと、前記現在ブロックのために照明補償が有効化されるときのみ、前記照明補償シンタックス要素をコーディングすることとを備える、Ｃ２に記載の方法。
［Ｃ５］
前記現在ブロックを含むスライスのために照明補償が有効化されるかどうかを示すスライスレベル照明補償シンタックス要素をコーディングすることをさらに備え、ここにおいて、前記現在ブロックのための前記照明補償シンタックス要素をコーディングすることは、前記スライスレベル照明補償シンタックス要素が、前記スライスのために照明補償が有効化されることを示すときのみ、前記現在ブロックのための前記照明補償シンタックス要素をコーディングすることを備える、Ｃ２に記載の方法。
［Ｃ６］
前記スライスレベル照明補償シンタックス要素がｓｌｉｃｅ＿ｉｃ＿ｅｎａｂｌｅ＿ｆｌａｇを備える、Ｃ５に記載の方法。
［Ｃ７］
前記照明補償シンタックス要素をコーディングすることは、前記ＡＲＰ重み付け係数が０に等しい値を有し、（ａ）または（ｂ）のうちの少なくとも１つが真である場合のみ、前記照明補償シンタックス要素をコーディングすることを備え、ここで、（ａ）は、前記現在ブロックが、マージモードを用いてコーディングされること、および（ｉ）または（ｉｉ）のうちの少なくとも１つであり、ここで、（ｉ）は、前記現在ブロックを含むスライスのためのスライスヘッダ中のシンタックス要素が、現在スライスのために照明補償モードが有効化されることを示す値を有することであり、ここで、（ｉｉ）は、前記現在ブロックのためのマージインデックスが０でない値を有することであり、ここで、（ｂ）は、前記現在ブロックが高度動きベクトル予測（ＡＭＶＰ）モードを用いてコーディングされること、および前記現在ブロックのための少なくとも１つの参照インデックスがビュー間参照ピクチャに対応することである、Ｃ２に記載の方法。
［Ｃ８］
前記スライスのための前記スライスヘッダ中の前記シンタックス要素がｓｌｉｃｅ＿ｉｃ＿ｄｉｓａｂｌｅ＿ｍｅｒｇｅ＿ｚｅｒｏ＿ｉｄｘ＿ｆｌａｇを備える、Ｃ７に記載の方法。
［Ｃ９］
前記照明補償シンタックス要素をコーディングすることは、前記現在ブロックを含む現在ピクチャがイントラランダムアクセスピクチャ（ＩＲＡＰ）であるとき、前記照明補償シンタックス要素をコーディングすることを備える、Ｃ２に記載の方法。
［Ｃ１０］
照明補償がマルチレイヤビデオデータの少なくとも１つのレイヤのために使用されるかどうかを示す少なくとも１つのシンタックス要素をコーディングすることをさらに備える、Ｃ２に記載の方法。
［Ｃ１１］
前記照明補償シンタックス要素の前記値に少なくとも部分的に基づいて前記現在ブロックをコーディングすることは、前記照明補償シンタックス要素の前記値が、前記現在ブロックが照明補償を使用してコーディングされるべきであることを示すとき、照明補償を使用して前記現在ブロックをコーディングすることを備える、Ｃ２に記載の方法。
［Ｃ１２］
前記ＡＲＰ重み付け係数の前記値が０に等しいとき、前記照明補償シンタックス要素の前記値に少なくとも部分的に基づいて前記現在ブロックをコーディングすることは、前記照明補償シンタックス要素の前記値が、前記現在ブロックが、照明補償を使用して、ＡＲＰを使用せずに、ＡＲＰを使用せずにコーディングされるべきでないことを示すとき、照明補償を使用せずに前記現在ブロックをコーディングすることを備える、Ｃ２に記載の方法。
［Ｃ１３］
前記ＡＲＰ重み付け係数の前記値を決定することより前に、
前記現在ブロックを含むスライスのためにＡＲＰが有効化されるかどうかを決定することと、
前記現在ブロックがインターコーディングされるかどうかを決定することとをさらに備え、
ここにおいて、前記ＡＲＰ重み付け係数の前記値を決定することは、ＡＲＰが有効化されるとき、および前記現在ブロックがインターコーディングされるとき、前記ＡＲＰ重み付け係数の前記値を決定することを備える、
Ｃ１に記載の方法。
［Ｃ１４］
前記ＡＲＰ重み付け係数の前記値が０に等しくないとき、前記現在ブロックをコーディングすることが、前記ＡＲＰ重み付け係数の前記値に基づいてＡＲＰを使用して前記現在ブロックをコーディングすることを備える、Ｃ１に記載の方法。
［Ｃ１５］
前記照明補償シンタックス要素のコーディングをスキップすることが、前記照明補償シンタックス要素の復号をスキップすることを備え、前記現在ブロックをコーディングすることが、前記現在ブロックを復号することを備える、Ｃ１に記載の方法。
［Ｃ１６］
前記照明補償シンタックス要素のコーディングをスキップすることが、前記照明補償シンタックス要素のシグナリングをスキップすること備え、前記現在ブロックをコーディングすることが、前記現在ブロックを符号化することを備える、Ｃ１に記載の方法。
［Ｃ１７］
ビデオデータをコーディングするためのデバイスであって、前記デバイスは、ビデオデータを記憶するように構成されたメモリと、前記ビデオデータの現在ブロックの高度残差予測（ＡＲＰ）重み付け係数のための値を決定することと、前記ＡＲＰ重み付け係数の前記値が０に等しくないとき、前記現在ブロックのための照明補償シンタックス要素のコーディングをスキップことと、前記ＡＲＰ重み付け係数の前記値が０に等しくないとき、前記現在ブロックをコーディングすることとを行うように構成されたビデオコーダとを備えるデバイス。
［Ｃ１８］
前記ビデオコーダは、前記ＡＲＰ重み付け係数の前記値が０に等しいとき、前記現在ブロックのための前記照明補償シンタックス要素をコーディングすることと、前記照明補償シンタックス要素の値に少なくとも部分的に基づいて前記現在ブロックをコーディングすることとを行うようにさらに構成された、Ｃ１７に記載のデバイス。
［Ｃ１９］
前記照明補償シンタックス要素がｉｃ＿ｆｌａｇシンタックス要素を備える、Ｃ１８に記載のデバイス。
［Ｃ２０］
前記ビデオコーダは、前記現在ブロックのために照明補償が有効化されるかどうかを決定することと、前記現在ブロックのために照明補償が有効化されるときのみ、前記照明補償シンタックス要素をコーディングすることとを行うように構成された、Ｃ１８に記載のデバイス。
［Ｃ２１］
前記ビデオコーダは、前記現在ブロックを含むスライスのために照明補償が有効化されるかどうかを示すスライスレベル照明補償シンタックス要素をコーディングするようにさらに構成され、前記ビデオコーダは、前記スライスレベル照明補償シンタックス要素が、前記スライスのために照明補償が有効化されることを示すときのみ、前記現在ブロックのための前記照明補償シンタックス要素をコーディングするように構成された、Ｃ１８に記載のデバイス。
［Ｃ２２］
前記スライスレベル照明補償シンタックス要素がｓｌｉｃｅ＿ｉｃ＿ｅｎａｂｌｅ＿ｆｌａｇを備える、Ｃ２１に記載のデバイス。
［Ｃ２３］
前記ビデオコーダは、前記ＡＲＰ重み付け係数の前記値を決定することより前に、前記現在ブロックを含むスライスのためにＡＲＰが有効化されるかどうかを決定することと、前記現在ブロックがインターコーディングされるかどうかを決定することとを行うようにさらに構成され、前記ビデオコーダは、ＡＲＰが有効化されるとき、および前記現在ブロックがインターコーディングされるとき、前記ＡＲＰ重み付け係数の前記値を決定するように構成された、Ｃ１７に記載のデバイス。
［Ｃ２４］
ビデオデータをコーディングするためのデバイスであって、前記デバイスは、
現在ブロックの高度残差予測（ＡＲＰ）重み付け係数のための値を決定するための手段と、
前記ＡＲＰ重み付け係数の前記値が０に等しくないとき、前記現在ブロックのための照明補償シンタックス要素のコーディングをスキップするための手段と、
前記ＡＲＰ重み付け係数の前記値が０に等しくないとき、前記現在ブロックをコーディングするための手段と
を備えるデバイス。
［Ｃ２５］
命令を記憶したコンピュータ可読記憶媒体であって、前記命令は、実行されたとき、
現在ブロックの高度残差予測（ＡＲＰ）重み付け係数のための値を決定することと、
前記ＡＲＰ重み付け係数の前記値が０に等しくないとき、前記現在ブロックのための照明補償シンタックス要素のコーディングをスキップすることと、前記現在ブロックをコーディングすることと
をビデオデータをコーディングするためのデバイスのプロセッサに行わせる、コンピュータ可読記憶媒体。
［Ｃ２６］
前記ＡＲＰ重み付け係数の前記値が０に等しいとき、前記現在ブロックのための前記照明補償シンタックス要素をコーディングすることと、前記照明補償シンタックス要素の値に少なくとも部分的に基づいて前記現在ブロックをコーディングすることとを前記プロセッサに行わせる命令をさらに備える、Ｃ２５に記載のコンピュータ可読記憶媒体。
［Ｃ２７］
前記照明補償シンタックス要素がｉｃ＿ｆｌａｇシンタックス要素を備える、Ｃ２６に記載のコンピュータ可読記憶媒体。
［Ｃ２８］
前記照明補償シンタックス要素をコーディングすることを前記プロセッサに行わせる前記命令は、前記現在ブロックのために照明補償が有効化されるかどうかを決定することと、前記現在ブロックのために照明補償が有効化されるときのみ、前記照明補償シンタックス要素をコーディングすることとを前記プロセッサに行わせる命令を備える、Ｃ２６に記載のコンピュータ可読記憶媒体。
［Ｃ２９］
前記現在ブロックを含むスライスのために照明補償が有効化されるかどうかを示すスライスレベル照明補償シンタックス要素をコーディングすることを前記プロセッサに行わせる命令をさらに備え、ここにおいて、前記現在ブロックのための前記照明補償シンタックス要素をコーディングすることを前記プロセッサに行わせる前記命令は、前記スライスレベル照明補償シンタックス要素が、前記スライスのために照明補償が有効化されることを示すときのみ、前記現在ブロックのための前記照明補償シンタックス要素をコーディングすることを前記プロセッサに行わせる命令を備える、Ｃ２６に記載のコンピュータ可読記憶媒体。
［Ｃ３０］
前記ＡＲＰ重み付け係数の前記値を決定することより前に、
前記現在ブロックを含むスライスのためにＡＲＰが有効化されるかどうかを決定することと、
前記現在ブロックがインターコーディングされるかどうかを決定することと
を前記プロセッサに行わせる命令をさらに備え、
ここにおいて、前記ＡＲＰ重み付け係数の前記値を決定することを前記プロセッサに行わせる前記命令は、ＡＲＰが有効化されるとき、および前記現在ブロックがインターコーディングされるとき、前記ＡＲＰ重み付け係数の前記値を決定することを前記プロセッサに行わせる命令を備える、
Ｃ２５に記載のコンピュータ可読記憶媒体。